(57)【要約】【課題】バスリングとＵ相，Ｖ相，及びＷ相の巻線とを容易に接続することが可能な集配電リングを提供する。【解決手段】集配電リング（４）は、第１乃至第４のバスリング（４１〜４４）を備え、第１乃至第４のバスリング（４１〜４４）は、ロータ（２）の回転軸に対して同心状に配置され、それぞれ線状の導電部材を屈曲して環状に形成された第１乃至第４のバスリング（４１〜４４）を備え、複数の第１乃至第３接続部（４１ａ，４２ａ，４３ａ）は、Ｕ相，Ｖ相，及びＷ相の巻線のそれぞれの一端部とのロータ（２）の回転軸方向における接続位置（４１ｃ，４２ｃ，４３ｃ）が、複数の第４接続部（４４ａ）とＵ相，Ｖ相，及びＷ相の巻線のそれぞれの他端部とのロータ（２）の回転軸方向における接続位置（４４ｃ）と揃うように形成されている。
2015140895.tif 000002
【特許請求の範囲】
【請求項１】
回転子の外周側に環状に配置された磁性体コアに巻き回されたＵ相，Ｖ相，及びＷ相の巻線に各相の電流を集配電する集配電リングであって、
前記回転子の回転軸に対して同心状に配置され、それぞれ線状の導電部材を屈曲して環状に形成された第１乃至第４のバスリングを備え、
前記第１のバスリングは、前記Ｕ相の巻線の一端部に接続され前記線状の導電部材を屈曲して形成された複数の第１接続部を有し、
前記第２のバスリングは、前記Ｖ相の巻線の一端部に接続され前記線状の導電部材を屈曲して形成された複数の第２接続部を有し、
前記第３のバスリングは、前記Ｗ相の巻線の一端部に接続され前記線状の導電部材を屈曲して形成された複数の第３接続部を有し、
前記第４のバスリングは、前記Ｕ相，Ｖ相，及びＷ相の巻線のそれぞれの他端部に接続され前記線状の導電部材を屈曲して形成された複数の第４接続部を有し、
前記複数の第４接続部は、前記第４のバスリングの径方向に沿って突出し、
前記複数の第１乃至第３接続部は、前記Ｕ相，Ｖ相，及びＷ相の巻線のそれぞれの一端部との前記回転軸方向における接続位置が、前記複数の第４接続部と前記Ｕ相，Ｖ相，及びＷ相の巻線のそれぞれの他端部との前記回転軸方向における接続位置と揃うように形成された、
集配電リング。
【請求項２】
前記第１乃至第３接続部は、前記第１乃至第３のバスリングの径方向に延在する一対の径方向延在部と、前記一対の径方向延在部の端部から軸方向に延在し、前記Ｕ相，Ｖ相，及びＷ相の巻線の一端部を挟む一対の軸方向延在部とを有し、
前記一対の軸方向延在部は、前記第４のバスリングと前記第１乃至第３のバスリングとの軸方向の距離に応じて、軸方向の長さが前記第１乃至第３のバスリングでそれぞれ異なる、
請求項１に記載の集配電リング。
【請求項３】
前記第１乃至第３接続部は、前記一対の軸方向延在部の先端同士が湾曲部によって連結されてＵ字状をなし、
前記第４接続部は、前記第４のバスリングの径方向に突出して形成された一対の延出部と、前記一対の延出部の先端同士を連結する湾曲部とを一体に有したＵ字状で形成される、
請求項２に記載の集配電リング。
【請求項４】
第１乃至第４のバスリングは、前記複数の第１乃至第４接続部が加締められて前記Ｕ相，Ｖ相，及びＷ相の巻線に接続され、
前記第１乃至第３接続部は、前記一対の軸方向延在部の間に前記Ｕ相，Ｖ相，及びＷ相の巻線の一端部が挿通された状態で加締められ、
前記第４接続部は、前記一対の延出部の間に前記Ｕ相，Ｖ相，及びＷ相の巻線の他端部が挿通された状態で加締められる、
請求項２又は３に記載の集配電リング。
【請求項５】
前記第１乃至第４のバスリングは、前記複数の第１乃至第４接続部の間が円弧状に形成された複数の円弧部によって連結され、
前記複数の第１乃至第４接続部が加締められたとき、隣り合う一対の円弧部間には隙間が形成されている、
請求項４に記載の集配電リング。
【請求項６】
前記第４のバスリングは、前記第１のバスリングと前記第２のバスリングとの間に配置され、
前記第１接続部の前記一対の軸方向延在部と、前記第２接続部の前記一対の軸方向延在部とは、それぞれの前記軸方向の長さが同じである、
請求項２乃至５の何れか１項に記載の集配電リング。
【発明の詳細な説明】
【技術分野】
【０００１】
本発明は、複数相の巻線に対して集配電を行う集配電リングに関する。
【背景技術】
【０００２】
従来、例えば環状に配置された複数の磁性体コアに巻き回されたＵ相，Ｖ相，及びＷ相の巻線に各相の電流を集配電する集配電リングが知られている（特許文献１参照）。【０００３】
特許文献１に記載の集配電リング（集中配電部材）は、その図１７に示されているように、Ｕ相，Ｖ相，Ｗ相，及び中性相のそれぞれに対応して環状に形成された第１乃至第４のバスリングを備える。第１乃至第４のバスリングには、各相の巻線の端部と接続するための接続部（引き出し線挿通部）が、バスリングを構成する導体を屈曲して形成されている。【０００４】
第１乃至第４のバスリングは、軸方向に並んで配置されている。第１乃至第４のバスリングは、周方向に複数箇所に形成された複数の接続部を有している。第１乃至第３のバスリングの接続部は、径方向内方に向かって突出しており、第４のバスリングの接続部は径方向外方に突出している。これらの接続部と巻線の端部との接続は、例えば熱加締め（ヒュージング）によって行われる。
【先行技術文献】
【特許文献】
【０００５】
【特許文献１】特開２０１３−２２０００５号公報
【発明の概要】
【発明が解決しようとする課題】
【０００６】
特許文献１に記載の集配電リングでは、第１乃至第４のバスリングの各接続部は、各バスリングの軸方向における位置の違いに応じて各相の巻線との接続箇所の軸方向における位置が異なり、かつ、第４のバスリングの接続部は、第１乃至第３のバスリングの接続部と径方向の位置が異なる。このため、バスリングと巻線とを接続する際に、各バスリングごとの接続箇所の位置に合わせて接続作業を行う必要があり、接続作業の効率化という点で改善の余地があった。【０００７】
そこで、本発明は、バスリングとＵ相，Ｖ相，及びＷ相の巻線とを容易に接続することが可能な集配電リングの提供を目的とする。
【課題を解決するための手段】
【０００８】
本発明は、上記課題を解決することを目的として、回転子の外周側に環状に配置された磁性体コアに巻き回されたＵ相，Ｖ相，及びＷ相の巻線に各相の電流を集配電する集配電リングであって、前記回転子の回転軸に対して同心状に配置され、それぞれ線状の導電部材を屈曲して環状に形成された第１乃至第４のバスリングを備え、前記第１のバスリングは、前記Ｕ相の巻線の一端部に接続され前記線状の導電部材を屈曲して形成された複数の第１接続部を有し、前記第２のバスリングは、前記Ｖ相の巻線の一端部に接続され前記線状の導電部材を屈曲して形成された複数の第２接続部を有し、前記第３のバスリングは、前記Ｗ相の巻線の一端部に接続され前記線状の導電部材を屈曲して形成された複数の第３接続部を有し、前記第４のバスリングは、前記Ｕ相，Ｖ相，及びＷ相の巻線のそれぞれの他端部に接続され前記線状の導電部材を屈曲して形成された複数の第４接続部を有し、前記複数の第４接続部は、前記第４のバスリングの径方向に沿って突出し、前記複数の第１乃至第３接続部は、前記Ｕ相，Ｖ相，及びＷ相の巻線のそれぞれの一端部との前記回転軸方向における接続位置が、前記複数の第４接続部と前記Ｕ相，Ｖ相，及びＷ相の巻線のそれぞれの他端部との前記回転軸方向における接続位置と揃うように形成された集配電リングを提供する。
【発明の効果】
【０００９】
本発明に係る集配電リングによれば、バスリングとＵ相，Ｖ相，及びＷ相の巻線とを容易に接続することが可能である。
【図面の簡単な説明】
【００１０】
【図１】本発明の実施の形態に係る電動機の構成例の概略について説明する模式図である。
【図２】集配電リングが装着されたステータの斜視図である。
【図３】集配電リング及びステータをその中心軸方向から見た平面図である。
【図４】インシュレータの構成例を示す斜視図である。
【図５Ａ】環状保持部材で保持された集配電リングの全体斜視図である。
【図５Ｂ】集配電リングの一部を示した斜視図である。
【図６Ａ】図５ＡのＡ−Ａ線断面図である。
【図６Ｂ】図５ＡのＢ−Ｂ線断面図である。
【図６Ｃ】図５ＡのＣ−Ｃ線断面図である。
【図６Ｄ】図５ＡのＤ−Ｄ線断面図である。
【図７Ａ】第４のバスリングの接続部とＵ相の巻線の他端部との接続方法を示す説明図である。
【図７Ｂ】接続前における第４のバスリングの接続部及びＵ相の巻線の他端部を示す平面図である。
【図７Ｃ】接続後における第４のバスリングの接続部及びＵ相の巻線の他端部を示す平面図である。
【図８Ａ】第３のバスリングの接続部とＷ相の巻線の一端部との接続方法を示す説明図である。
【図８Ｂ】接続前における第３のバスリングの接続部及びＷ相の巻線の一端部を示す平面図である。
【図８Ｃ】接続後における第３のバスリングの接続部及びＷ相の巻線の一端部を示す平面図である。
【図９Ａ】本実施の形態の変形例に係る第４のバスリングを示す断面図である。
【図９Ｂ】本実施の形態の変形例に係る第２のバスリングを示す断面図である。
【図９Ｃ】本実施の形態の変形例に係る第３のバスリングを示す断面図である。
【図９Ｄ】本実施の形態の変形例に係る第１のバスリングを示す断面図である。
【発明を実施するための形態】
【００１１】
［実施の形態］
本発明の集配電リングの実施の形態について、図１乃至図７Ｃを参照して説明する。
【００１２】
（電動機１の構成）
図１は、本発明の実施の形態に係る集配電リング４の機能を説明するために示す電動機１の概略の模式図である。
【００１３】
この電動機１は、回転子であるロータ２と、固定子であるステータ３と、ステータ３に保持された第１乃至第４のバスリング４１〜４４とを有する集配電リング４とを備えている。
【００１４】
ロータ２は、図略の軸受によってステータ３と同軸上で回転可能に支持されたシャフト２１と、シャフト２１の外周面に固定されてＮ極及びＳ極が周方向に沿って交互に着磁された円筒状の磁石２２とを有している。
【００１５】
ステータ３は、ロータ２の外周側に環状に配置された磁性体からなる複数のコア３１と、コア３１の外周囲に巻き回された巻線３２と、後述するインシュレータ３３（図２に示す）とを有している。
【００１６】
本実施の形態では、２４個のコア３１が、図１に示すシャフト２１の回転軸線Ｏを中心として環状に配置されている。これら２４個のコア３１は、８個のＵ相のコア３１Ｕ、８個のＶ相のコア３１Ｖ、及び８個のＷ相のコア３１Ｗから構成され、図１に示すロータ２の回転方向Ｒに沿って、Ｕ相のコア３１Ｕの隣にＶ相のコア３１Ｖが、Ｖ相のコア３１Ｖの隣にＷ相のコア３１Ｗが、Ｗ相のコア３１Ｗの隣にＵ相のコア３１Ｕが、それぞれ配置されている。なお、本実施の形態では、複数（２４個）のコア３１が環状に配置されているものを用いているが、他の形態として、これら複数のコア３１が一体となった環状体を用いることも可能である。
【００１７】
Ｕ相のコア３１Ｕには、Ｕ相の巻線３２Ｕが巻き回され、このＵ相の巻線３２Ｕに対して第１のバスリング４１により集配電（集電及び配電）が行われる。Ｖ相のコア３１Ｖには、Ｖ相の巻線３２Ｖが巻き回され、このＶ相の巻線３２Ｖに対して第２のバスリング４２により集配電が行われる。Ｗ相のコア３１Ｗには、Ｗ相の巻線３２Ｗが巻き回され、このＷ相の巻線３２Ｗに対して第３のバスリング４３により集配電が行われる。なお、以下の説明において、Ｕ相の巻線３２Ｕ、Ｖ相の巻線３２Ｖ、及びＷ相の巻線３２Ｗを総称して巻線３２という場合がある。
【００１８】
Ｕ相の巻線３２Ｕの両端部のうち、一端部３２１Ｕは第１のバスリング４１に電気的に接続され、他端部３２２Ｕは第４のバスリング４４に電気的に接続されている。Ｖ相の巻線３２Ｖの両端部のうち、一端部３２１Ｖは第２のバスリング４２に電気的に接続され、他端部３２２Ｖは第４のバスリング４４に電気的に接続されている。また、Ｗ相の巻線３２Ｗの両端部のうち、一端部３２１Ｗは第３のバスリング４３に電気的に接続され、他端部３２２Ｗは第４のバスリング４４に電気的に接続されている。
【００１９】
したがって、第４のバスリング４４には、Ｕ相の巻線３２Ｕの他端部３２２Ｕ、Ｖ相の巻線３２Ｖの他端部３２２Ｖ、及びＷ相の巻線３２Ｗの他端部３２２Ｗが電気的に接続されている。すなわち、第４のバスリングは、中性相のバスリングとして機能する。
【００２０】
第１乃至第３のバスリング４１〜４３には、それぞれ給電端子４１０，４２０，４３０が接続され、この給電端子４１０，４２０，４３０を介して図略のインバータから１２０°ずつ位相がずれた正弦波状の駆動電流が供給される。この駆動電流によってステータ３に回転磁界が形成され、磁石２２がこの回転磁界による吸引力及び反発力により回転力を受けてシャフト２１をその回転軸線Ｏを中心として回転させる。
【００２１】
図２は、集配電リング４が装着されたステータ３の斜視図である。図３は、集配電リング４及びステータ３をその中心軸方向から見た平面図である。
【００２２】
ステータ３は、複数の電磁鋼板３１０を積層してなるコア３１にインシュレータ３３を装着し、インシュレータ３３を介してコア３１の外側に巻線３２を巻き回した複数のコア組立体３０からなる。本実施の形態では、２４個のコア組立体３０が環状に配置されて、ステータ３が構成されている。
【００２３】
集配電リング４は、巻線３２よりもステータ３の外周側に配置され、巻線３２の一端部３２１Ｕ，３２１Ｖ，３２１Ｗが径方向外側に引き出されて第１乃至第３のバスリング４１〜４３に接続されている。巻線３２の他端部３２２Ｕ，３２２Ｖ，３２２Ｗは、軸方向に沿ってインシュレータ３３から引き出されて第４のバスリング４４に接続されている。
【００２４】
（インシュレータ３３の構成）
次に、インシュレータ３３についてより具体的に説明する。なお、複数のコア組立体３０のうち、Ｕ相の巻線３２Ｕが巻き回されたコア組立体３０を構成するインシュレータ３３を例にとって、以下説明する。
【００２５】
図４は、インシュレータ３３の構成例を示す斜視図である。なお、図４では、Ｕ相の巻線３２Ｕ及びコア３１を破線で示している。
【００２６】
インシュレータ３３は、樹脂等の絶縁体からなり、コア３１とＵ相の巻線３２Ｕとの間に介在する絶縁部３３６と、絶縁部３３６をステータ３の径方向に挟んで対向する第１の壁部３３１及び第２の壁部３３２と、第１の壁部３３１からステータ３の内周側に向かって張り出し、ステータ３の軸方向に対して直交する内鍔部３３３と、第２の壁部３３２からステータ３の外周側に向かって張り出し、ステータ３の軸方向に対して直交する上面３３４ｂを有する外鍔部３３４とを一体に有している。第１の壁部３３１は、前記第２の壁部３３２よりもロータ２（図１参照）側に位置している。
【００２７】
第２の壁部３３２には、Ｕ相の巻線３２Ｕの一端部３２１Ｕを挿通させる挿通部３３２ａが形成されている。Ｕ相の巻線３２Ｕの一端部３２１Ｕは、挿通部３３２ａからステータ３の径方向外側に向けて引き出されている。
【００２８】
外鍔部３３４には、Ｕ相の巻線３２Ｕの他端部３２２Ｕを挿通させる挿通部３３４ａが形成されている。Ｕ相の巻線３２Ｕの他端部３２２Ｕは、挿通部３３４ａからステータ３の軸方向（ロータ２の回転軸方向）に沿って引き出されている。また、外鍔部３３４の上面３３４ｂには、後述する環状保持部材５が配置される。なお、以下の説明において「ロータ２の回転軸方向」を単に「軸方向」という。また、「ロータ２の回転軸方向」は、第１乃至第４のバスリング４１〜４４の軸方向と同一である。
【００２９】
複数のインシュレータ３３が環状に配置された状態では、各インシュレータ３３の挿通部３３２ａ及び挿通部３３２ｂが、周方向に等間隔に配置される。
【００３０】
（集配電リング４の構成）
次に、集配電リング４の構成について、より具体的に説明する。
【００３１】
図５Ａは、環状保持部材５に保持された集配電リング４の斜視図であり、図５Ｂは、環状保持部材５から取り外された集配電リング４の一部を示す斜視図である。図６Ａは図５ＡのＡ−Ａ線断面図であり、図６Ｂは図５ＡのＢ−Ｂ線断面図であり、図６Ｃは図５ＡのＣ−Ｃ線断面図であり、図６Ｄは図５ＡのＤ−Ｄ線断面図である。なお、図６Ａ〜図６Ｄでは、各巻線の一端部（３２１Ｕ，３２１Ｖ，３２１Ｗ）及び他端部（３２２Ｕ，３２２Ｖ，３２２Ｗ）を二点鎖線で示している。
【００３２】
第１乃至第４のバスリング４１〜４４は、銅等の良導電性の金属からなる中心導体４００ａを樹脂からなる絶縁体４００ｂで被覆した線状の導電部材を屈曲して形成されている。また、第１乃至第４のバスリング４１〜４４は、軸方向に沿って同心状に並列し、絶縁性の樹脂からなる環状の環状保持部材５に保持されている。第１乃至第４のバスリング４１〜４４は、ステータ３における外鍔部３３４の上面３３４ｂ（図４参照）から軸方向に離れる方向へ向かって、第３のバスリング４３，第２のバスリング４２，第１のバスリング４１，第４のバスリング４３の順に配置されている。
【００３３】
環状保持部材５は、第１乃至第４のバスリング４１〜４４を収容する収容空間の外周側に形成された外壁５１と、内周面が径方向外側に窪んだ内壁５２とを有している。内壁５２は周方向に沿って等間隔に複数（本実施の形態では４８個）形成されている。第１乃至第４のバスリング４１〜４４の後述する第１乃至第４接続部４１ａ，４２ａ，４３ａ，４４ａは、周方向に隣り合う一対の内壁５２の間からステータ３の径方向内側に突出して配置されている。
【００３４】
第１のバスリング４１は、径方向内方に突出し、かつ軸方向に延びてＵ相の巻線３２Ｕの一端部３２１Ｕに接続され線状の導電部材を屈曲して形成された複数（本実施の形態では８個）の第１接続部４１ａと、複数の第１接続部４４ａを連結し、かつ円弧状に形成された複数（本実施の形態では８個）の第１円弧部４１ｂとを有している。また、第１のバスリング４１の両端部では、絶縁体４００ｂから中心導体４００ａが露出し、この露出した中心導体４００ａに給電端子４１０が加締めにより接続されている。
【００３５】
第１接続部４１ａは、図５Ｂ及び図６Ａに示すように、第１円弧部４１ｂから第１乃至第３のバスリング４１〜４３の径方向内方に向かって延在する一対の径方向延在部４１１ａ，４１１ｂと、一対の径方向延在部４１１ａ，４１１ｂの端部から軸方向に延在し、Ｕ相の巻線３２Ｕの一端部３２１Ｕを挟む一対の軸方向延在部４１２ａ，４１２ｂ（図６Ａでは一方の軸方向延在部４１２ｂのみ示す）と、一対の軸方向延在部４１２ａ，４１２ｂの間に形成された湾曲部４１３とを一体に有する。つまり、第１接続部４１ａは、一対の軸方向延在部４１２ａ，４１２ｂの先端同士が湾曲部４１３によって連結されたＵ字状をなして形成されている。
【００３６】
より詳細には、第１接続部４１ａは、周方向に隣り合う一対の第１円弧部のうち一方の第１円弧部４１ｂの端部から線状の導電部材を屈曲させて径方向内方に突出して形成された径方向延在部４１１ａと、径方向延在部４１１ａの径方向内側における端部から軸方向に延在する軸方向延在部４１２ａと、他方の第１円弧部４１ｂの端部から径方向内方に突出して形成された径方向延在部４１１ｂと、径方向延在部４１１ｂの径方向内側における端部から軸方向に延在する軸方向延在部４１２ｂと、一対の軸方向延在部４１２ａ，４１２ｂの先端同士を連結し、かつ湾曲して形成された湾曲部４１３とを一体に有している。
【００３７】
Ｕ相の巻線３２Ｕの一端部３２１Ｕは、一対の軸方向延在部４１２ａ，４１２ｂの延伸方向（第１乃至第４のバスリング４１〜４４の軸方向）に対して交差するように一対の軸方向延在部４１２ａ，４１２ｂの間に挿入される。つまり、第１のバスリング４１（集配電リング４）をステータ３（図２及び図３参照）に装着すると、Ｕ相の巻線３２Ｕの一端部３２１Ｕは、第１接続部４１ａに挿通された状態となる。本実施の形態では、Ｕ相の巻線３２Ｕの一端部３２１Ｕは、一対の軸方向延在部４１２ａ，４１２ｂの延伸方向に対して直交しているが、傾斜していてもよい。
【００３８】
第２のバスリング４２は、径方向内方に突出し、かつ軸方向に延びてＶ相の巻線３２Ｖの一端部３２１Ｖに接続され線状の導電部材を屈曲して形成された複数（本実施の形態では８個）の第２接続部４２ａと、複数の第２接続部４２ａを連結し、かつ円弧状に形成された複数（本実施の形態では８個）の第２円弧部４２ｂとを有している。また、第２のバスリング４２の両端部では、絶縁体４００ｂから中心導体４００ａが露出し、この露出した中心導体４００ａに給電端子４２０が加締めにより接続されている。
【００３９】
第２接続部４２ａは、図５Ｂ及び図６Ｂに示すように、第２円弧部４２ｂから第１乃至第３のバスリング４１〜４３の径方向内方に向かって延在する一対の径方向延在部４２１ａ，４２１ｂ（図６Ｂでは一方の径方向延在部４２１ｂのみ示す）と、一対の径方向延在部４２１ａ，４２１ｂの端部から軸方向に延在し、Ｖ相の巻線３２Ｖの一端部３２１Ｖを挟む一対の軸方向延在部４２２ａ，４２２ｂ（図６Ｂでは一方の軸方向延在部４２２ｂのみ示す）と、一対の軸方向延在部４２２ａ，４２２ｂの間に形成された湾曲部４２３とを一体に有している。つまり、第２接続部４２ａは、一対の軸方向延在部４２２ａ，４２２ｂの先端同士が湾曲部４２３によって連結されたＵ字状をなして形成されている。
【００４０】
Ｖ相の巻線３２Ｖの一方の端部３２１Ｖは、一対の軸方向延在部４２２ａ，４２２ｂの延伸方向（第１乃至第４のバスリング４１〜４４の軸方向）に対して交差するように一対の軸方向延在部４２２ａ，４２２ｂの間に挿入される。つまり、第２のバスリング４２（集配電リング４）をステータ３（図２及び図３参照）に装着すると、Ｖ相の巻線３２Ｖの一端部３２１Ｖは、第２接続部４２ａに挿通された状態となる。本実施の形態では、Ｖ相の巻線３２Ｖの一端部３２１Ｖは、一対の軸方向延在部４２２ａ，４２２ｂの延伸方向に対して直交しているが、傾斜していてもよい。
【００４１】
第３のバスリング４３は、径方向内方に突出し、かつ軸方向に延びてＷ相の巻線３２Ｗの一端部３２１Ｗに接続され線状の導電部材を屈曲して形成された複数（本実施の形態では８個）の第３接続部４３ａと、複数の第３接続部４３ａを連結し、かつ円弧状に形成された複数（本実施の形態では８個）の第３円弧部４３ｂとを有している。また、第３のバスリング４３の両端部では、絶縁体４００ｂから中心導体４００ａが露出し、この露出した中心導体４００ａに給電端子４３０が加締めにより接続されている。
【００４２】
第３接続部４３ａは、図５Ｂ及び図６Ｃに示すように、第３円弧部４３ｂから第１乃至第３のバスリング４１〜４３の径方向内方に向かって延在する一対の径方向延在部４３１ａ，４３１ｂと、一対の径方向延在部４３１ａ，４３１ｂの端部から軸方向に延在し、Ｗ相の巻線３２Ｗの一端部３２１Ｗを挟む一対の軸方向延在部４３２ａ，４３２ｂ（図６Ｃでは一方の軸方向延在部４３２ｂのみ示す）と、一対の軸方向延在部４３２ａ，４３２ｂの間に形成された湾曲部４３３とを一体に有している。つまり、第３接続部４３ａは、一対の軸方向延在部４３２ａ，４３２ｂの先端同士が湾曲部４３３によって連結されたＵ字状をなして形成されている。
【００４３】
Ｗ相の巻線３２Ｗの一端部３２１Ｗは、一対の軸方向延在部４３２ａ，４３２ｂの延伸方向（第１乃至第４のバスリング４１〜４４の軸方向）に対して交差するように一対の軸方向延在部４３２ａ，４３２ｂの間に挿入される。つまり、第３のバスリング４３（集配電リング４）をステータ３（図２及び図３参照）に装着すると、Ｗ相の巻線３２Ｗの一端部３２１Ｗは、第３接続部４３ａに挿通された状態となる。本実施の形態では、Ｗ相の巻線３２Ｗの一端部３２１Ｗは、一対の軸方向延在部４３２ａ，４３２ｂの延伸方向に対して直交しているが、傾斜していてもよい。
【００４４】
なお、第１乃至第３のバスリング４１〜４３において、それぞれの一対の径方向延在部４１１ａ，４１１ｂ，４２１ａ，４２１ｂ，４３１ａ，４３１ｂは、その延在方向が主として径方向であればよく、軸方向延在部４１２ａ，４１２ｂ，４２２ａ，４２２ｂ，４３２ａ，４３２ｂは、その延在方向が主として軸方向であればよい。例えば第１接続部４１ａの一対の径方向延在部４１１ａ，４１１ｂは、第１のバスリング４１の径方向に対して４５°未満の角度で傾斜していてもよい。また、第１接続部４１ａの一対の軸方向延在部４１２ａ，４１２ｂは、第１のバスリング４１の軸方向に対して４５°未満の角度で傾斜していてもよい。
【００４５】
第４のバスリング４４は、第１乃至第３のバスリング４１〜４３と軸方向に並んで配置されている。また、第４のバスリング４４は、径方向内方に突出し、Ｕ相，Ｖ相，及びＷ相の巻線３２Ｕ，３２Ｖ，３２Ｗの他端部３２２Ｕ，３２２Ｖ，３２２Ｗに接続され線状の導電部材を屈曲して形成された複数（本実施の形態では２４個）の第４接続部４４ａと、複数の第４接続部４４ａを連結し、かつ円弧状に形成された複数（本実施の形態では２４個）の第４円弧部４４ｂとを有している。
【００４６】
第４接続部４４ａは、図５Ｂ及び図６Ｄに示すように、第４のバスリング４４の径方向に沿って突出して形成され、第４接続部４４ａは、第４円弧部４４ｂから径方向内方に延出されてＵ相，Ｖ相，及びＷ相の巻線３２Ｕ，３２Ｖ，３２Ｗの他端部３２２Ｕ，３２２Ｖ，３２２Ｗを挟む一対の延出部（第１の延出部４４１及び第２の延出部４４２）と、第１の延出部４４１及び第２の延出部４４２の先端同士を連結し、かつ湾曲に形成された湾曲部４４３とを一体に有したＵ字状で形成される。つまり、第４接続部４４ａは、複数の第４円弧部４４ｂが形成する仮想平面と同一平面を形成するように、第４のバスリング４４の径方向に沿って突出している。ここで、同一平面とは、完全に同一でなくともよく、仮想平面に対して第４接続部４４ａが５°程度傾いていてもよい。
【００４７】
Ｕ相，Ｖ相，及びＷ相の巻線３２Ｕ，３２Ｖ，３２Ｗの他端部３２２Ｕ，３２２Ｖ，３２２Ｗは、第１の延出部４４１及び第２の延出部４４２の延出方向（第１乃至第４のバスリング４１〜４４の径方向）に交差するように第１の延出部４４１及び第２の延出部４４２の間に挿入される。つまり、第４のバスリング４４（集配電リング４）をステータ３（図２及び図３参照）に装着すると、Ｕ相，Ｖ相，及びＷ相の巻線３２Ｕ，３２Ｖ，３２Ｗの他端部３２２Ｕ，３２２Ｖ，３２２Ｗは、それぞれ第４接続部４４ａに挿通された状態となる。本実施の形態では、Ｕ相，Ｖ相，及びＷ相の巻線３２Ｕ，３２Ｖ，３２Ｗの他端部３２２Ｕ，３２２Ｖ，３２２Ｗは、第１の延出部４４１及び第２の延出部４４２の延出方向に対して直交しているが、傾斜していてもよい。
【００４８】
本実施の形態において、第１接続部４１ａ，第２接続部４２ａ，及び第３接続部４３ａは、一対の軸方向延在部４１２ａ，４１２ｂ，４２２ａ，４２２ｂ，４３２ａ，４３２ｂの長さが異なる他は、同様の形状に形成されている。
【００４９】
図６Ａ乃至図６Ｄに示すように、第１のバスリング４１の一対の軸方向延在部４１２ａ，４１２ｂの軸方向の長さをＨ１、第２のバスリング４２の一対の軸方向延在部４２２ａ，４２２ｂの軸方向の長さをＨ２、及び第３のバスリング４３の一対の軸方向延在部４３２ａ，４３２ｂの軸方向の長さをＨ３とすると、Ｈ１，Ｈ２，Ｈ３は、第４のバスリング４４と第１乃至第３のバスリング４１〜４３との軸方向の距離に応じて、それぞれ異なっている。
【００５０】
本実施の形態では、第１のバスリング４１の一対の軸方向延在部４１２ａ，４１２ｂの軸方向の長さＨ１、第２のバスリング４２の一対の軸方向延在部４２２ａ，４２２ｂの軸方向の長さＨ２、第３のバスリング４３の一対の軸方向延在部４３２ａ，４３２ｂの軸方向の長さＨ３の順に長くなるように設定されている（Ｈ３＞Ｈ２＞Ｈ１＞０）。
【００５１】
これにより、第１乃至第３のバスリング４１〜４３の第１乃至第３接続部４１ａ，４２ａ，４３ａは、Ｕ相，Ｖ相，及びＷ相の巻線３２Ｕ，３２Ｖ，３２Ｗの一端部３２１Ｕ，３２１Ｖ，３２１Ｗとの軸方向における接続位置４１ｃ，４２ｃ，４３ｃが、第４のバスリング４４の第４接続部４４ａにおけるＵ相，Ｖ相，及びＷ相の巻線３２Ｕ，３２Ｖ，３２Ｗの他端部３２２Ｕ，３２２Ｖ，３２２Ｗとの軸方向における接続位置４４ｃと軸方向で揃うように屈曲して形成される。ここで、「軸方向で揃う」とは、完全に揃っていなくともよく、５ｍｍ程度ずれていてもよい。
【００５２】
（第４のバスリング４４と巻線３２との接続方法）
次に、第４のバスリングとＵ相，Ｖ相，及びＷ相の巻線３２Ｕ，３２Ｖ，３２Ｗとの接続方法について、図７Ａ乃至図７Ｃを参照して説明する。
【００５３】
第４のバスリング４４とＵ相，Ｖ相，及びＷ相の巻線３２Ｕ，３２Ｖ，３２Ｗとは、第４接続部４４ａが各巻線３２の他端部３２２Ｕ，３２２Ｖ，３２２Ｗが挿通された状態で加締められることによって接続される。
【００５４】
図７Ａは、第４のバスリング４４の第４接続部４４ａとＵ相の巻線３２Ｕの他端部３２２Ｕとの接続方法を示す説明図である。図７Ｂは、接続前における第４のバスリング４４の第４接続部４４ａ及びＵ相の巻線３２Ｕの他端部３２２Ｕを示し、図７Ｃは、接続後における第４のバスリング４４の第４接続部４４ａ及びＵ相の巻線３２Ｕの他端部３２２Ｕを示す平面図である。
【００５５】
第４のバスリング４４の第４接続部４４ａは、図７Ａに示すように、延出部４４１，４４２と、湾曲部４４３とを一体に有し、第４接続部４４ａの表面には錫メッキが施されている。
【００５６】
本実施の形態では、第４接続部４４ａとＵ相の巻線３２Ｕの他端部３２２Ｕとの接続は、熱加締め（ヒュージング）によって行われる。より具体的には、図７Ａに示すように、正電極５０１を第１の延出部４４１の側面４４１ａに接触させると共に、負電極５０２を第２の延出部４４２の側面４４２ａに接触させ、第１の延出部４４１及び第２の延出部４４２を正電極５０１及び負電極５０２によってＵ相の巻線３２Ｕの他端部３２２Ｕに押し付けながら、正電極５０１と負電極５０２との間に直流電圧を印加する。
【００５７】
すると、正電極５０１から第１の延出部４４１、Ｕ相の巻線３２Ｕの他端部３２２Ｕ、第２の延出部４４２を介して負電極５０２に直流電流が流れ、そのジュール熱によってまずメッキされた錫が溶融し、続いて第４接続部４４ａに挿通されたＵ相の巻線３２Ｕの他端部３２２Ｕの近傍における第１の延出部４４１及び第２の延出部４４２が溶融する。これにより、第４のバスリング４４の第４接続部４４ａとＵ相の巻線３２Ｕの他端部３２２Ｕとが電気的に接続される。
【００５８】
なお、このとき、周方向に隣合う一対の第４円弧部４４ｂ間には隙間が形成されている。より具体的には、第１の延出部４４１と第２の延出部４４２との間の距離が狭くなるが、少なくとも、第４円弧部４４ｂ側における第１の延出部４４１と第４円弧部４４ｂ側における第２の延出部４４２とは、直接的に溶着しない。同様に、接続部４４ａを挟んで隣り合う第４円弧部４４ｂ同士についても、直接的に溶着しない。すなわち、第４円弧部４４ｂ側における第１の延出部４４１と第４円弧部４４ｂ側における第２の延出部４４２との間、及び第４接続部４４ａを挟んで隣り合う第４円弧部４４ｂの間には、それぞれ隙間が空いている。
【００５９】
（第１乃至第３のバスリングと巻線３２との接続方法）
次に、第１のバスリング４１とＵ相の巻線３２Ｕ、第２のバスリング４２とＶ相の巻線３２Ｖ、第３のバスリング４３とＷ相の巻線３２Ｗとの接続方法について、図８Ａ乃至図８Ｃを参照して説明する。
【００６０】
第１乃至第３のバスリング４１〜４３とＵ相の巻線３２Ｕ、Ｖ相の巻線３２Ｖ、及びＷ相の巻線３２Ｗとは、第１乃至第３接続部４１ａ，４２ａ，４３ａが各巻線３２の一端部３２１Ｕ，３２１Ｖ，３２１Ｗが挿通された状態で加締められることによって接続される。
【００６１】
第１のバスリング４１とＵ相の巻線３２Ｕの一端部３２１Ｕ、第２のバスリング４２とＶ相の巻線３２Ｖの一端部３２１Ｖ、及び第３のバスリング４３とＷ相の巻線３２Ｗの一端部３２１Ｗとの接続方法は、それぞれ同様であるため、第３のバスリング４３とＷ相の巻線３２Ｗの一端部３２１Ｗとの接続方法を例にとって以下説明する。
【００６２】
図８Ａは、第３のバスリング４３の第３接続部４３ａとＷ相の巻線３２Ｗの一端部３２１Ｗとの接続方法を示す説明図である。図８Ｂは、接続前における第３のバスリング４３の第３接続部４３ａ及びＷ相の巻線３２Ｗの一端部３２１Ｗを示し、図８Ｃは、接続後における第３のバスリング４３の第３接続部４３ａ及びＷ相の巻線３２Ｗの一端部３２１Ｗを示す平面図である。
【００６３】
第３のバスリング４３の第３接続部４３ａは、図８Ｂに示すように、一対の径方向延在部４３１ａ，４３１ｂと、一対の軸方向延在部４３２ａ，４３２ｂと、湾曲部４３３とを一体に有し、第３接続部４３ａの表面には錫メッキが施されている。
【００６４】
第３接続部４３ａとＷ相の巻線３２Ｗの一端部３２１Ｗとの接続は、第４接続部４４ａの場合と同様に、熱加締め（ヒュージング）によって行われる。
【００６５】
より具体的には、図８Ａに示すように、正電極５０１を接続部４３ａの側面４３２ｃに接触させると共に、負電極５０２を接続部４３ａの側面４３２ｄに接触させ、一対の軸方向延在部４３２ａ，４３２ｂを正電極５０１及び負電極５０２によってＷ相の巻線３２Ｗの一端部３２１Ｗに押し付けながら、正電極５０１と負電極５０２との間に直流電圧を印加する。
【００６６】
すると、正電極５０１から軸方向延在部４３２ａ、Ｗ相の巻線３２Ｗの一端部３２１Ｗ、軸方向延在部４３２ｂを介して負電極５０２に直流電流が流れ、そのジュール熱によってまずメッキされた錫が溶融し、続いてＷ相の巻線３２Ｗの一端部３２１Ｗの近傍における一対の軸方向延在部４３２ａ，４３２ｂがそれぞれ溶融する。これにより、第３のバスリング４３の接続部４３ａとＷ相の巻線３２Ｗの一端部３２１Ｗとが電気的に接続される。
【００６７】
なお、このとき、周方向に隣合う一対の第３円弧部４３ｂ間には隙間が形成されている。より具体的には、一対の軸方向延在部４３２ａ，４３２ｂの間の距離が狭くなるが、少なくとも一対の径方向延在部４３１ａ，４３１ｂ側における軸方向延在部４３２ａ，４３２ｂは、直接的に溶着しない。同様に、接続部４３ａを挟んで隣り合う一対の径方向延在部４３１ａ，４３１ｂについても、直接的に溶着しない。すなわち、一対の径方向延在部４３１ａ，４３１ｂ側における一対の軸方向延在部４３２ａ，４３２ｂの間、及び接続部４３ａを挟んで隣り合う一対の径方向延在部４３１ａ，４３１ｂの間には、それぞれ隙間が空いている。
【００６８】
以上説明した第１乃至第４のバスリング４１〜４４と巻線３２との接続方法によれば、熱加締めの作業を行う際、複数の第１乃至第３接続部４１ａ，４２ａ，４３ａにおけるＵ相，Ｖ相，及びＷ相の巻線３２Ｕ，３２Ｖ，３２Ｗの一端部３２１Ｕ，３２１Ｖ，３２１Ｗとの軸方向における接続位置４１ｃ、４２ｃ、４３ｃと、複数の第４接続部４４ａにおけるＵ相，Ｖ相，及びＷ相の巻線３２Ｕ，３２Ｖ，３２Ｗの他端部３２２Ｕ，３２２Ｖ，３２２Ｗとの軸方向における接続位置４４ｃとが軸方向で揃っているため、正電極５０１及び負電極５０２を各接続位置４１ｃ，４２ｃ，４３ｃに合わせて移動させる必要がない。
【００６９】
（実施の形態の作用及び効果）
以上説明した実施の形態によれば、以下のような作用及び効果が得られる。
【００７０】
（１）第１乃至第４のバスリング４１〜４４の第１乃至第３接続部４１ａ，４２ａ，４３ａ，４４ａと巻線３２との接続位置４１ｃ，４２ｃ，４３ｃ，４４ｃが軸方向で揃っているので、第１乃至第３接続部４１ａ，４２ａ，４３ａと各巻線３２Ｕ，３２Ｖ，３２Ｗの一端部３２１Ｕ，３２１Ｖ，３２１Ｗとを熱加締めする際、正電極５０１及び負電極５０２を各接続位置４１ｃ，４２ｃ，４３ｃ，４４ｃに合わせて軸方向に移動させる必要がなくなり、接続作業の効率化が図れる。これにより、第１乃至第４のバスリング４１〜４４と巻線３２とを容易に接続することができる。
【００７１】
（２）第４接続部４４ａは、第４のバスリング４４の径方向に沿って突出し、第１乃至第３接続部４１ａ，４２ａ，４３ａは、各巻線３２の一端部３２１Ｕ，３２１Ｖ，３２１Ｗとの軸方向における接続位置４１ｃ，４２ｃ，４３ｃが、巻線３２との接続部の数が最も多い第４のバスリング４４の第４接続部４４ａにおける巻線３２の他端部３２２Ｕ，３２２Ｖ，３２２Ｗとの軸方向における接続位置４４ｃと軸方向で揃うように形成されている。これにより、巻線３２との接続部の数が最も多い第４接続部４４ａの一部を軸方向に屈曲させる等の加工をする必要がなく、集配電リング４としての全体の屈曲箇所を少なくすることができ、加工に要する工数や労力を低減することができる。すなわち、製造コストの上昇を抑制することができる。
【００７２】
（３）第１乃至第３接続部４１ａ，４２ａ，４３ａは、軸方向に延びて巻線３２の引き出し方向と略直交して形成された一対の軸方向延在部４１２ａ，４１２ｂ，４２２ａ，４２２ｂ，４３２ａ，４３２ｂを有し、これら一対の軸方向延在部４１２ａ，４１２ｂ，４２２ａ，４２２ｂ，４３２ａ，４３２ｂによって、巻線３２の一端部３２１Ｕ，３２１Ｖ，３２１Ｗが挟まれている。これにより、正電極５０１及び負電極５０２を第１乃至第３接続部４１ａ，４２ａ，４３ａに対して確実に押し付けることができる。すなわち、第１乃至第３のバスリング４１〜４３と巻線３２とをより確実に接続することができる。
【００７３】
（４）第１乃至第３接続部４１ａ，４２ａ，４３ａは、一対の軸方向延在部４１２ａ，４１２ｂ，４２２ａ，４２２ｂ，４３２ａ，４３２ｂの先端部が湾曲部４１３，４２３，４３３によって連結されたＵ字状をなし、第４接続部４４ａは、一対の延出部４４１，４４２と、湾曲部４４３とを一体に有したＵ字状で形成されている。これにより、線状の導電部材を屈曲するだけで第１乃至第４のバスリング４１〜４４を構成することができるので、集配電リング４の製造が容易となる。
【００７４】
（５）第１乃至第３接続部は４１ａ，４２ａ，４３ａは、一対の軸方向延在部４１２ａ，４１２ｂ，４２２ａ，４２２ｂ，４３２ａ，４３２ｂの間にＵ相，Ｖ相，及びＷ相の巻線３２Ｕ，３２Ｖ，３２Ｗの一端部３２１Ｕ，３２１Ｖ，３２１Ｗが挿通された状態で加締められ、第４接続部４４ａは、一対の延出部４４１，４４２の間にＵ相，Ｖ相，及びＷ相の巻線３２Ｕ，３２Ｖ，３２Ｗの他端部３２２Ｕ，３２２Ｖ，３２２Ｗが挿通された状態で加締められる。これにより、第１乃至第４のバスリング４１〜４４とＵ相，Ｖ相，及びＷ相の巻線３２Ｕ，３２Ｖ，３２Ｗとを接続する際に、Ｕ相，Ｖ相，及びＷ相の巻線３２Ｕ，３２Ｖ，３２Ｗが第１乃至第４接続部４１ａ，４２ａ，４３ａ，４４ａから抜け出すことが抑制される。
【００７５】
（６）複数の第１乃至第４接続部４１ａ，４２ａ，４３ａ，４４ａが加締められたとき、隣り合う一対の第１乃至第４円弧部４１ｂ，４２ｂ，４３ｂ，４４ｂには隙間が形成されているので、第１乃至第４のバスリング４１〜４４とＵ相，Ｖ相，及びＷ相の巻線３２Ｕ，３２Ｖ，３２Ｗとの接続時において、隣り合う一対の円弧部同士の接触によって第１乃至第４のバスリング４１〜４４が縮径してしまうことを抑制することができる。
【００７６】
（実施の形態の変形例）
次に、本実施の形態の変形例について図９Ａ乃至図９Ｄを用いて説明する。図９Ａ乃至図９Ｄにおいて、実施の形態について説明したものと実質的に同一の機能を有する構成要素については、共通する符号を付してその重複した説明を省略する。
【００７７】
図９Ａは、変形例に係る集配電リングの第４のバスリングを示す断面図であり、図９Ｂは、変形例に係る集配電リングの第３のバスリングを示す断面図であり、図９Ｃは、変形例に係る集配電リングの第３のバスリングを示す断面図であり、図９Ｄは、変形例に係る集配電リングの第１のバスリングを示す断面図である。
【００７８】
本変形例に係る集配電リング６は、第４のバスリング６４が第１のバスリング６１及び第２のバスリング６２に軸方向に挟まれて配置されている。より具体的には、実施の形態に係る集配電リング４は、ステータ３の外鍔部３３４の上面３３４ｂから離れる方向に、第３のバスリング４３，第２のバスリング４２，第１のバスリング４１，第４のバスリング４４の順に配置されていたが、本変形例に係る集配電リング６は、第３のバスリング６３，第２のバスリング６２，第４のバスリング６４，第１のバスリング６１の順に配置されている。
【００７９】
これに伴い、第１乃至第３のバスリング６１〜６３の複数の接続部６１ａ，６２ａ，６３ａの構成が、実施の形態に係る集配電リング４における第１乃至第３のバスリング４１〜４３の複数の接続部４１ａ，４２ａ，４３ａの構成と異なる。
【００８０】
第４のバスリング６４は、図９Ａに示すように、第１のバスリング６１と第２のバスリング６２との間に配置されている。また、第４のバスリング６４の接続部６４ａは、第４のバスリング６４の径方向に沿って突出して形成され、第４接続部６４ａは、第４円弧部６４ｂから径方向内方に延出されてＵ相，Ｖ相，及びＷ相の巻線３２Ｕ，３２Ｖ，３２Ｗの他端部３２２Ｕ，３２２Ｖ，３２２Ｗを挟む一対の延出部（第１の延出部６４１及び第２の延出部６４２）と、第１の延出部６４１及び第２の延出部６４２の間に形成された湾曲部６４３とを一体に有している。
【００８１】
Ｕ相，Ｖ相，及びＷ相の巻線３２Ｕ，３２Ｖ，３２Ｗの他端部３２２Ｕ，３２２Ｖ，３２２Ｗは、第１の延出部６４１及び第２の延出部６４２の延出方向（第１乃至第４のバスリング６１〜６４の径方向）に交差するように第１の延出部６４１及び第２の延出部６４２の間に挿入される。
【００８２】
第２のバスリング６２の第２接続部６２ａは、図９Ｂに示すように、第２円弧部６２ｂから径方向内方に向かって延在する一対の径方向延在部６２１ａ，６２１ｂ（図９Ｂでは一方の径方向延在部６２１ｂのみ示す）と、一対の径方向延在部６２１ａ，６２１ｂの端部から軸方向の第３のバスリング６３から第１のバスリング６１側に延在する一対の軸方向延在部６２２ａ，６２２ｂ（図９Ｂでは一方の軸方向延在部６２２ｂのみ示す）と、一対の軸方向延在部６２２ａ，６２２ｂの間に形成された湾曲部６２３とを一体に有している。
【００８３】
Ｖ相の巻線３２Ｖの一方の端部３２１Ｖは、一対の軸方向延在部６２２ａ，６２２ｂの延伸方向（第１乃至第４のバスリング６１〜６４の軸方向）に対して交差するように一対の軸方向延在部６２２ａ，６２２ｂの間に挿入される。
【００８４】
第３のバスリング６３の第３接続部６３ａは、図９Ｃに示すように、第３円弧部６３ｂから径方向内方に向かって延在する一対の径方向延在部６３１ａ，６３１ｂ（図９Ｃでは一方の径方向延在部６３１ｂのみ示す）と、一対の径方向延在部６３１ａ，６３１ｂの端部から軸方向の第３のバスリング６３から第１のバスリング６１側に延在する一対の軸方向延在部６３２ａ，６３２ｂ（図９Ｃでは一方の軸方向延在部６３２ｂのみ示す）と、一対の軸方向延在部６３２ａ，６３２ｂの間に形成された湾曲部６３３とを一体に有している。
【００８５】
Ｗ相の巻線３２Ｗの一端部３２１Ｗは、一対の軸方向延在部６３２ａ，６３２ｂの延伸方向（第１乃至第４のバスリング６１〜６４の軸方向）に対して交差するように一対の軸方向延在部６３２ａ，６３２ｂの間に挿入される。
【００８６】
第１のバスリング６１の第１接続部６１ａは、図９Ｄに示すように、第１円弧部６１ｂから径方向内方に向かって延在する一対の径方向延在部６１１ａ，６１１ｂ（図９Ｄでは一方の径方向延在部６１１ｂのみ示す）と、一対の径方向延在部６１１ａ，６１１ｂの端部から軸方向の第１のバスリング６１から第３のバスリング６３側に延在する一対の軸方向延在部６１２ａ，６１２ｂ（図９Ｄでは一方の軸方向延在部６１２ｂのみ示す）と、一対の軸方向延在部６１２ａ，６１２ｂの間に形成された湾曲部６１３とを一体に有している。
【００８７】
Ｕ相の巻線３２Ｕの一端部３２１Ｕは、一対の軸方向延在部６１２ａ，６１２ｂの延伸方向（第１乃至第４のバスリング６１〜６４の軸方向）に対して交差するように一対の軸方向延在部６１２ａ，６１２ｂの間に挿入される。
【００８８】
本変形例では、第１接続部６１ａの一対の軸方向延在部６１２ａ，６１２ｂの軸方向の長さＬ１と、第２接続部６２ａの一対の軸方向延在部６２２ａ，６２２ｂの軸方向の長さＬ２とが同じである。また、第３接続部６３ａの一対の軸方向延在部６３２ａ，６３２ｂの軸方向の長さＬ３は、第１接続部６１ａの一対の軸方向延在部６１２ａ，６１２ｂの軸方向の長さＬ１、及び第２接続部６２ａの一対の軸方向延在部６２２ａ，６２２ｂの軸方向の長さＬ２よりも長くなるように設定されている。（Ｌ３＞Ｌ２＝Ｌ１＞０）。
【００８９】
これにより、第１乃至第３のバスリング６１〜６３の第１乃至第３接続部６１ａ，６２ａ，６３ａは、Ｕ相，Ｖ相，及びＷ相の巻線３２Ｕ，３２Ｖ，３２Ｗの一端部３２１Ｕ，３２１Ｖ，３２１Ｗとの接続位置６１ｃ、６２ｃ、６３ｃが、第４のバスリング６４の第４接続部６４ａにおけるＵ相，Ｖ相，及びＷ相の巻線３２Ｕ，３２Ｖ，３２Ｗの他端部３２２Ｕ，３２２Ｖ，３２２Ｗとの接続位置６４ｃと軸方向で揃うように屈曲して形成される。
【００９０】
またさらに、第１接続部６１ａの一対の軸方向延在部６１２ａ，６１２ｂの軸方向の長さＬ１と、第２接続部６２ａの一対の軸方向延在部６２２ａ，６２２ｂの軸方向の長さＬ２とが同じであるので、例えば第２のバスリング６２の接続部６２ａにおける一対の軸方向延在部６１２ａ，６１２ｂがステータ３の外鍔部３３４（図４参照）側に向かって延在するように配置することにより、第１のバスリング６１と第２のバスリング６２とを同一の形状としながら、各接続位置６１ｃ，６２ｃ，６３ｃ，６４ｃの軸方向の位置を揃えることができる。これにより、部品の共通化によって、集配電リング６の製造コストの低減を図ることができる。
【００９１】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００９２】
［１］回転子（２）の外周側に環状に配置された磁性体コア（３１）に巻き回されたＵ相，Ｖ相，及びＷ相の巻線（３２Ｕ，３２Ｖ，３２Ｗ）に各相の電流を集配電する集配電リング（４／６）であって、回転子（２）の回転軸に対して同心状に配置され、それぞれ線状の導電部材を屈曲して形成された第１乃至第４のバスリング（４１〜４４）を備え、第１のバスリング（４１）は、Ｕ相の巻線（３２Ｕ）の一端部（３２１Ｕ）に接続され線状の導電部材を屈曲して形成された複数の第１接続部（４１ａ／６１ａ）を有し、第２のバスリング（４２）は、Ｖ相の巻線（３２Ｖ）の一端部（３２１Ｖ）に接続され線状の導電部材を屈曲して形成された複数の第２接続部（４２ａ／６２ａ）を有し、第３のバスリング（４３）は、Ｗ相の巻線（３２Ｗ）の一端部（３２１Ｗ）に接続され線状の導電部材を屈曲して形成された複数の第３接続部（４３ａ／６３ａ）を有し、第４のバスリング（４４）は、Ｕ相，Ｖ相，及びＷ相の巻線（３２Ｕ，３２Ｖ，３２Ｗ）のそれぞれの他端部（３２２Ｕ，３２２Ｖ，３２２Ｗ）に接続され線状の導電部材を屈曲して形成された複数の第４接続部（４４ａ／６４ａ）を有し、複数の第４接続部（４４ａ／６４ａ）は、第４のバスリング（４４／６４）の径方向に沿って突出し、複数の第１乃至第３接続部（４１ａ，４２ａ，４３ａ／６１ａ，６２ａ，６３ａ）は、Ｕ相，Ｖ相，及びＷ相の巻線（３２Ｕ，３２Ｖ，３２Ｗ）のそれぞれの一端部（３２１Ｕ，３２１Ｖ，３２１Ｗ）との回転軸方向における接続位置（４１ｃ，４２ｃ，４３ｃ／６１ｃ，６２ｃ，６３ｃ）が、複数の第４接続部（４４ａ／６４ａ）とＵ相，Ｖ相，及びＷ相の巻線（３２Ｕ，３２Ｖ，３２Ｗ）のそれぞれの他端部（３２２Ｕ，３２２Ｖ，３２２Ｗ）との回転軸方向における接続位置（４４ｃ／６４ｃ）と揃うように形成された集配電リング（４／６）。
【００９３】
［２］第１乃至第３接続部（４１ａ，４２ａ，４３ａ／６１ａ，６２ａ，６３ａ）は、第１乃至第３のバスリング（４１〜４３／６１〜６３）の径方向に延在する一対の径方向延在部（４１１ａ，４１１ｂ，４２１ａ，４２１ｂ，４３１ａ，４３１ｂ／６１１ａ，６１１ｂ，６２１ａ，６２１ｂ，６３１ａ，６３１ｂ）と、一対の径方向延在部（４１１ａ，４１１ｂ，４２１ａ，４２１ｂ，４３１ａ，４３１ｂ／６１１ａ，６１１ｂ，６２１ａ，６２１ｂ，６３１ａ，６３１ｂ）の端部から軸方向に延在し、Ｕ相，Ｖ相，及びＷ相の巻線（３２Ｕ，３２Ｖ，３２Ｗ）の一端部（３２１Ｕ，３２１Ｖ，３２１Ｗ）を挟む一対の軸方向延在部（４１２ａ，４１２ｂ，４２２ａ，４２２ｂ，４３２ａ，４３２ｂ／６１２ａ，６１２ｂ，６２２ａ，６２２ｂ，６３２ａ，６３２ｂ）とを有し、一対の軸方向延在部（４１２ａ，４１２ｂ，４２２ａ，４２２ｂ，４３２ａ，４３２ｂ／６１２ａ，６１２ｂ，６２２ａ，６２２ｂ，６３２ａ，６３２ｂ）は、第４のバスリング（４４／６４）と第１乃至第３のバスリングとの軸方向の距離に応じて、軸方向の長さが第１乃至第３のバスリング（４１〜４３／６１〜６３）でそれぞれ異なる［１］に記載の集配電リング（４／６）。
【００９４】
［３］第１乃至第３接続部（４１ａ，４２ａ，４３ａ／６１ａ，６２ａ，６３ａ）は、一対の軸方向延在部（４１２ａ，４１２ｂ，４２２ａ，４２２ｂ，４３２ａ，４３２ｂ／６１２ａ，６１２ｂ，６２２ａ，６２２ｂ，６３２ａ，６３２ｂ）と、一対の軸方向延在部（４１２ａ，４１２ｂ，４２２ａ，４２２ｂ，４３２ａ，４３２ｂ／６１２ａ，６１２ｂ，６２２ａ，６２２ｂ，６３２ａ，６３２ｂ）の先端同士が湾曲部（４１３，４２３，４３３／６１３，６２３，６３３）によって連結されＵ字状をなし、第４接続部（４４ａ／６４ａ）は、第４のバスリング（４４／６４）の径方向に突出して形成された一対の延出部（４４１，４４２／６４１，６４２）と、一対の延出部（４４１，４４２／６４１，６４２）の先端同士を連結する湾曲部（４４３／６４３）とを一体に有したＵ字状で形成される［２］に記載の集配電リング（４／６）。
【００９５】
［４］第１乃至第４のバスリング（４１〜４３／６１〜６３）は、複数の第１乃至第４接続部（４１ａ，４２ａ，４３ａ，４４ａ／６１ａ，６２ａ，６３ａ，６４ａ）が加締められてＵ相，Ｖ相，及びＷ相の巻線（３２Ｕ，３２Ｖ，３２Ｗ）に接続され、第１乃至第３接続部（４１ａ，４２ａ，４３ａ／６１ａ，６２ａ，６３ａ）は、一対の軸方向延在部（４１２ａ，４１２ｂ，４２２ａ，４２２ｂ，４３２ａ，４３２ｂ／６１２ａ，６１２ｂ，６２２ａ，６２２ｂ，６３２ａ，６３２ｂ）の間にＵ相，Ｖ相，及びＷ相の巻線（３２Ｕ，３２Ｖ，３２Ｗ）の一端部（３２１Ｕ，３２１Ｖ，３２１Ｗ）が挿通された状態で加締められ、第４接続部（４４ａ／６４ａ）は、一対の延出部（４４１，４４２／６４１，６４２）の間にＵ相，Ｖ相，及びＷ相の巻線（３２Ｕ，３２Ｖ，３２Ｗ）の他端部（３２２Ｕ，３２２Ｖ，３２２Ｗ）が挿通された状態で加締められる［２］又は［３］に記載の集配電リング（４／６）。
【００９６】
［５］第１乃至第４のバスリング（４１〜４３／６１〜６３）は、複数の第１乃至第４接続部（４１ａ，４２ａ，４３ａ，４４ａ／６１ａ，６２ａ，６３ａ，６４ａ）の間が円弧状に形成された複数の円弧部（４１ｂ，４２ｂ，４３ｂ，４４ｂ／６１ｂ，６２ｂ，６３ｂ，６４ｂ）によって連結され、複数の第１乃至第４接続部（４１ａ，４２ａ，４３ａ，４４ａ／６１ａ，６２ａ，６３ａ，６４ａ）が加締められたとき、隣り合う一対の円弧部間には隙間が形成されている［４］に記載の集配電リング（４／６）。
【００９７】
［６］第４のバスリング（４４／６４）は、第１のバスリング（４１／６１）と第２のバスリング（４２／６２）との間に配置され、複数の第１接続部（４１ａ／６１ａ）の一対の軸方向延在部（４１２ａ，４１２ｂ／６１２ａ，６１２ｂ）と、第２接続部（４２ａ／６２ａ）の一対の軸方向延在部（４２２ａ，４２２ｂ／６２２ａ，６２２ｂ）とは、それぞれの軸方向長さが同じである［２］に記載の集配電リング（４／６）。
【００９８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００９９】
本発明は、その趣旨を逸脱しない範囲で適宜変形して実施することが可能である。例えば、上記実施の形態では、第１乃至第４のバスリング４１〜４４は、中心導体４００ａが絶縁体４００ｂで被覆されていたが、これに限らず、絶縁体４００ｂで被覆されていない単線導体でもよい。
【０１００】
また、上記実施の形態では、第１乃至第４のバスリング４１〜４４の複数の第１乃至第４接続部４１ａ，４２ａ，４３ａ，４４ａは、第１乃至第４円弧部４１ｂ，４２ｂ，４３ｂ，４４ｂの径方向内方に突出していたが、これに限らず、複数の第１乃至第４接続部４１ａ，４２ａ，４３ａ，４４ａすべてが第１乃至第４円弧部４１ｂ，４２ｂ，４３ｂ，４４ｂの径方向外方に突出していてもよい。
【０１０１】
また、上記実施の形態では、第１乃至第４のバスリング４１〜４４は環状保持部材５によって一括して固定された状態でステータ３に保持されていたが、これに限らず、ステータ３側に第１乃至第４のバスリング４１〜４４を固定するための固定部材が設けられていてもよい。
【符号の説明】
【０１０２】
１…電動機
３…ステータ
４…集配電リング
３１，３１Ｕ，３１Ｖ，３１Ｗ…コア
３２…巻線
３２Ｕ，３２Ｖ，３２Ｗ…Ｕ相，Ｖ相，Ｗ相の巻線
４１〜４４，６１〜６４…第１乃至第４のバスリング
４１ａ，６１ａ…第１接続部
４２ａ，６２ａ…第２接続部
４３ａ，６３ａ…第３接続部
４４ａ，６４ａ…第４接続部
４１ｂ，６１ｂ…第１円弧部
４２ｂ，６２ｂ…第２円弧部
４３ｂ，６３ｂ…第３円弧部
４４ｂ，６４ｂ…第４円弧部
４１ｃ，４２ｃ，４３ｃ，４４ｃ，６１ｃ，６２ｃ，６３ｃ，６４ｃ…接続位置
３２１Ｕ，３２１Ｖ，３２１Ｗ…一端部
３２２Ｕ，３２２Ｖ，３２２Ｗ…他端部
４１１ａ，４１１ｂ，４２１ａ，４２１ｂ，４３１ａ，４３１ｂ，６１１ａ，６１１ｂ，６２１ａ，６２１ｂ，６３１ａ，６３１ｂ…径方向延在部
４１２ａ，４１２ｂ，４２２ａ，４２２ｂ，４３２ａ，４３２ｂ，６１２ａ，６１２ｂ，６２２ａ，６２２ｂ，６３２ａ，６３２ｂ…軸方向延在部
４４１，６４１…第１の延出部
４４２，６４２…第２の延出部
【図１】
2015140895.tif 000003
【図２】
2015140895.tif 000004
【図３】
2015140895.tif 000005
【図４】
2015140895.tif 000006
【図５Ａ】
2015140895.tif 000007
【図５Ｂ】
2015140895.tif 000008
【図６Ａ】
2015140895.tif 000009
【図６Ｂ】
2015140895.tif 000010
【図６Ｃ】
2015140895.tif 000011
【図６Ｄ】
2015140895.tif 000012
【図７Ａ】
2015140895.tif 000013
【図７Ｂ】
2015140895.tif 000014
【図７Ｃ】
2015140895.tif 000015
【図８Ａ】
2015140895.tif 000016
【図８Ｂ】
2015140895.tif 000017
【図８Ｃ】
2015140895.tif 000018
【図９Ａ】
2015140895.tif 000019
【図９Ｂ】
2015140895.tif 000020
【図９Ｃ】
2015140895.tif 000021
【図９Ｄ】
2015140895.tif 000022
【国際調査報告】
2015140895.tif 000023
2015140895.tif 000024